(57)【要約】【課題】円柱状のレンズの回転を防止するとともに、長手方向への円滑な移動を可能にする、簡単な構成の位置決め機構を提供する。【解決手段】ハウジング２には１対の斜面１８ａからなるＶ字状溝１８と、Ｖ字状溝１８の底部の嵌合凹部１９が設けられ、円柱状のセンサーレンズ１５には、長手方向に延びる位置決め用の凸部２０が設けられている。凸部２０は長手方向に連続する狭幅部と広幅部からなり、嵌合用の凹部１９も同様に狭幅部と広幅部とからなり、逆向きの挿入が防止される。センサーレンズ１５をＶ字状溝１８内に挿入すると、凸部２０が凹部１９に嵌合し凹部１９内で長手方向にスライド可能になり、センサーレンズ１５の外周面は１対の斜面１８ａにそれぞれ線接触して保持される。センサーレンズ１５の両側部の突起部２２は、ハウジング２の表面上に間隔をおいて位置した状態に保持される。【選択図】図７
2008077757.tif 000002
【特許請求の範囲】
【請求項１】
ハウジングと前記ハウジングに搭載される円柱状レンズとを含む、円柱状レンズの位置決め機構において、
前記ハウジングには、互いに対向して互いの間隔が徐々に狭くなるように傾斜している１対の斜面からなるＶ字状溝と、前記Ｖ字状溝の両斜面の間隔の狭い部分に位置し、前記Ｖ字状溝の長手方向に沿って延びる凹部とが設けられており、
前記円柱状レンズには、長手方向に沿って延びる凸部が設けられており、
前記円柱状レンズを前記Ｖ字状溝内に挿入すると、前記凸部が前記凹部に嵌合するとともに前記凹部内で長手方向にスライド可能であり、前記円柱状レンズの外周面が前記１対の斜面にそれぞれ保持されることを特徴とする、円柱状レンズの位置決め機構。
【請求項２】
前記円柱状レンズの外周面は、前記１対の斜面にそれぞれ線接触して保持される、請求項１に記載の円柱状レンズの位置決め機構。
【請求項３】
前記円柱状レンズの両側部から突出する１対の突起部が設けられており、
前記円柱状レンズを前記Ｖ字状溝内に挿入すると、前記１対の突起部が前記Ｖ字状溝の側方で前記ハウジングの表面上に間隔をおいて位置した状態に保持される、
請求項１または２に記載の円柱状レンズの位置決め機構。
【請求項４】
前記凸部と前記凹部はいずれも、長手方向に互いに連続する狭幅部と広幅部とからなり、
前記凸部は、前記狭幅部が前記凹部の前記狭幅部と対応する位置にあり、前記広幅部が前記凹部の前記広幅部と対応する位置にある状態でのみ、前記凹部に嵌合可能である、
請求項１から３のいずれか１項に記載の円柱状レンズの位置決め機構。
【請求項５】
前記ハウジングには、前記Ｖ字状溝の上方において前記円柱状レンズの外周面に当接し、前記円柱状レンズの前記ハウジングからの脱落を防止する規制部が設けられている、請求項１から４のいずれか１項に記載の円柱状レンズの位置決め機構。
【請求項６】
請求項１から５のいずれか１項に記載の円柱状レンズの位置決め機構を備えている、光ヘッド。
【請求項７】
請求項６に記載の光ヘッドを備えている、光記録再生装置。
【発明の詳細な説明】
【技術分野】
【０００１】
本発明は、光ディスク等の光記録媒体にデータの記録または再生を行う光ヘッドと、この光ヘッドに内蔵されている円柱状レンズの位置決め機構と、この光ヘッドを備えた光記録再生装置に関する。
【背景技術】
【０００２】
光記録媒体であるＣＤ（Compact disk）やＤＶＤ（digital versatile disk）の記録や再生に用いられる光記録再生装置の光ヘッドでは、ハウジングに、レンズやレーザダイオードやフォトディテクタや偏光ビームスプリッタ等の光学部品が搭載されている。これらの光学部品は、それぞれの光軸を所望の位置に正確に合わせる必要がある。
【０００３】
このような光ヘッドにおいて、フォトディテクタの受光面に光を集光させるために、円柱状レンズが用いられる場合がある。この円柱状レンズは、光をフォトディテクタの受光面に正確に収束させるために、フォトディテクタとの間の間隔を微調整しなければならない場合があり、その場合には、円柱状レンズを長手方向に移動させる。例えば、光ヘッドの製造工程において、円柱状レンズをハウジング上に仮に配置した後で、実際にレーザ光を照射しながら円柱状レンズを長手方向に移動させて微調整し、最適な位置に到達した時点で円柱状レンズをハウジングに固定している。円柱状レンズが非球面のレンズ形状を有している場合には、円柱状レンズが周方向に回転することによって、フォトディテクタの受光面への光の収束状態が悪くなる可能性がある。従って、円柱状レンズをハウジング上で長手方向に移動させて微調整可能であるとともに、周方向の回転を阻止する位置決め機構が求められている。
【０００４】
従来、円柱状レンズを四角柱状のケース内に収容して、外形が四角形の状態にし、ハウジングには上部の平面とそれに垂直な壁面とを設け、円柱状レンズを内包するケースの四角形の４面のうちの２面を、ハウジングの上部の平面とそれに垂直な壁面に接触させている構成がある。この構成によると、円柱状レンズを内包するケースの四角形の互いに直交する２つの面を、ハウジングの２つの面に沿って摺動させることによって、円柱状レンズの回転を防止しつつ、長手方向に位置調整可能である。
【０００５】
また、特許文献１には、円柱状レンズに板状フランジが接合された形状のセンサーレンズの取り付け機構が開示されている。この機構では、フレーム（ハウジング）に、センサーレンズの円柱状部分が完全に収容される大きさの凹部が設けられており、板状フランジの両側部が、凹部の両側方のフレーム上面上に置かれることによって、センサーレンズの円柱状部分が凹部内にぶら下がった状態に保持される。
【０００６】
特許文献２には、円柱状レンズの両側方にそれぞれ支持アームを設けるとともに、下部にも支持アームを設け、フレーム（ハウジング）に、円柱状レンズのおよそ半分を収容する溝を設けた構成が開示されている。この溝には、底部に切り欠きが設けられている。そして、円柱状レンズの両側方の支持アームが、溝の両側方のフレーム上面上に置かれることによって、円柱状レンズの下部が凹部内にぶら下がった状態に保持される。円柱状レンズの下部の支持フレームが溝の底部の切り欠き部内に収容され、回転防止のために押さえばねによって切り欠き部の一方の内面（支持面）に圧接させられている。
【特許文献１】特開平１０−２８３６３９号公報
【特許文献２】特開２０００−２６６９７７号公報
【発明の開示】
【発明が解決しようとする課題】
【０００７】
円柱状レンズを四角柱状のケースに収容した構成の場合には、四角柱のケースの互いに直交する２つの面をフレームの２つの面に当接させたまま、円柱状レンズとケースを一体的に長手方向に摺動させるため、ケースとフレームの接触面積が大きく摩擦力が大きい。従って、円柱状レンズの長手方向への移動が容易かつ円滑ではない。また、円柱状レンズを四角柱状のケースに収容するため、製造および組立が比較的面倒であるとともに、全体の外形が必要以上に大きくなる。
【０００８】
特許文献１に記載の構成では、フレームに、センサーレンズの円柱状部分が収容される大きな凹部を形成しなければならず、さらに、センサーレンズへの入射光を通過させる円形開口と、センサーレンズからの出射光を通過させる円形開口とを形成する必要がある。従って、フレームは比較的大型であるとともに、その製造は非常に煩雑である。また、特許文献１に記載の構成でも、板状フランジの両側部がフレーム上面上に面接触した状態であるため、接触面積が大きく摩擦力が大きいので、円柱状レンズの長手方向への移動が容易かつ円滑ではない。
【０００９】
特許文献２に記載の構成では、円柱状レンズの下部の支持アームを切り欠き部の一方の内面（支持面）に圧接させるための押さえばねを、切り欠き部内に装着しなければならない。切り欠き部内において、他方の内面と支持アームとの間のごく狭い空間に押さえばねを装填する作業は非常に煩雑である。また、特許文献２に記載の構成でも、円柱状レンズの両側方の支持アームがフレーム上面上に面接触した状態であるため、接触面積が大きく摩擦力が大きいので、円柱状レンズの長手方向への移動が容易かつ円滑ではない。
【００１０】
このように、従来のいずれの構成でも、円柱状レンズの長手方向への移動の抵抗となる摩擦力が大きいという欠点がある。特許文献１，２に記載の構成はいずれも、円柱状レンズを凹部内または溝内にぶら下がった状態に保持するため、通常の設計思想では支持部分が面接触になり、接触面積の増大および摩擦の増大は避けられない。円柱状レンズを四角柱状のケースに収容した構成では、面接触状態にすることによって回転防止機能を実現させているため、面接触による接触面積の増大および摩擦の増大は避けられない。
【００１１】
また、特許文献１の円形開口の形成と、特許文献２の押さえばねの切り欠き部内への装着は、不可能ではないとしても技術的に非常に煩雑な作業を要する。
【００１２】
そこで本発明の目的は、円柱状レンズの長手方向への移動に対する摩擦抵抗が小さく、容易かつ円滑な移動が可能であり、円柱状レンズの回転を防止し、しかも製造が簡単な円柱状レンズの位置決め機構と、それを含む光ヘッドと、その光ヘッドを含む光記録再生装置を提供することにある。
【課題を解決するための手段】
【００１３】
本発明は、ハウジングとハウジングに搭載される円柱状レンズとを含む、円柱状レンズの位置決め機構において、ハウジングには、互いに対向して互いの間隔が徐々に狭くなるように傾斜している１対の斜面からなるＶ字状溝と、Ｖ字状溝の両斜面の間隔の狭い部分に位置し、Ｖ字状溝の長手方向に沿って延びる凹部とが設けられており、円柱状レンズには、長手方向に沿って延びる凸部が設けられており、円柱状レンズをＶ字状溝内に挿入すると、凸部が凹部に嵌合するとともに凹部内で長手方向にスライド可能であり、円柱状レンズの外周面が１対の斜面にそれぞれ接触して保持されることを特徴とする。
【００１４】
この構成では、円柱状レンズは外周面の一部がＶ字状溝の両斜面にそれぞれ保持されるため、接触面積が小さく、円柱状レンズの長手方向への移動が容易かつ円滑にできる。特に、Ｖ字状溝を構成する斜面が曲面ではなく平面であることが好ましく、円柱状レンズの外周面が１対の斜面にそれぞれ線接触して保持されることが好ましい。さらに、凸部が凹部に嵌合しているため、簡単な構成で円柱状レンズの回転防止を実現できる。
【００１５】
円柱状レンズの両側部から突出する１対の突起部が設けられており、円柱状レンズをＶ字状溝内に挿入すると、１対の突起部がＶ字状溝の側方でハウジングの表面上に間隔をおいて位置した状態に保持される。この構成によると、円柱状レンズがぶら下がった状態で保持されることはないので、前記したように円柱状レンズが外周面の２箇所で斜面に線接触して支持される状態にすることができる。
【００１６】
凸部と凹部はいずれも、長手方向に互いに連続する狭幅部と広幅部とからなり、凸部は、狭幅部が凹部の狭幅部と対応する位置にあり、広幅部が凹部の広幅部と対応する位置にある状態でのみ、凹部に嵌合可能である。これによると、簡単な構成によって、円柱状レンズを前後間違えて取り付けることが防止できる。
【００１７】
ハウジングには、Ｖ字状溝の上方において円柱状レンズの外周面に当接し、円柱状レンズのハウジングからの脱落を防止する規制部が設けられていてもよい。この規制部は、ハウジングの上面上にねじ等によって容易に取り付けられ、仮に光ヘッドの姿勢が変わったとしても円柱状レンズをハウジング上から脱落させないための安全部材として機能する。
【００１８】
本発明の光ヘッドは、前記したいずれかの構成の円柱状レンズの位置決め機構を備えている。さらに、本発明の光記録再生装置は、この光ヘッドを備えている。
【発明の効果】
【００１９】
本発明によると、円柱状レンズの回転防止と、長手方向への位置調節を可能にすることが、簡単な構成で実現できる。
【発明を実施するための最良の形態】
【００２０】
以下、本発明の実施の形態について図面を参照して説明する。
【００２１】
まず、本実施形態の光ヘッドの基本構造について説明する。図１は本実施形態の光ヘッドの、カバーを外した状態の内部構造を示す斜視図、図２は図１に示す光ヘッドの、対物レンズ駆動装置と回路基板を外し図１の裏面側（対物レンズ側）から見た斜視図、図３は光学系を説明するための主要部の分解図、図４は図３に示す構成を模式化したブロック図である。
【００２２】
この光ヘッド１は、マグネシウムやジュラルミンのダイキャストからなるハウジング２上に、各種の光学部品が取り付けられている。具体的には、図１に示すように、ハウジング２の一方の面（筐体の内部に向いた面）上に、光学部品として、第１および第２のレーザダイオード３，４と、各レーザダイオード３，４の光路上にある第１および第２の回折格子（１／２波長板）５，６と、第１および第２の回折格子５，６を透過した第１および第２のレーザダイオード３，４の光路の交点に位置するダイクロイックプリズム８が取り付けられている。さらに、このハウジング２上に、ダイクロイックプリズム８を出射した光の光路上に位置する偏光ビームスプリッタ９と、偏光ビームスプリッタ９を出射した光の光路上にあるフロントモニター（受光素子）１７と、偏光ビームスプリッタ９により反射された光の光路上にある反射ミラー１０と、反射ミラー１０による反射光が偏光ビームスプリッタ９を再透過した後の光路上に位置するセンサーレンズ１５およびフォトディテクタ（受光素子）１６が取り付けられている。
【００２３】
また、ハウジング２の他方の面（筐体の外面）には、反射ミラー１０と位置合わせして、図３に示すコリメータレンズ１１と液晶素子１２と１／４波長板１３とからなる積層体７が取り付けられ、さらにその積層体７と光軸を一致させて対物レンズ１４が取り付けられている。図１に示すように、ハウジング２の他方の面には、第１および第２のレーザダイオード３，４への電力供給などの働きをする回路基板２３が取り付けられている。
【００２４】
このような構成の光ヘッド１によると、第１のレーザダイオード３から出射されたレーザ光（一例では青色レーザ光）は、第１の回折格子５によって偏光方向が制御され、ダイクロイックプリズム８を透過して、偏光ビームスプリッタ９へ至る。光
一方、第２のレーザダイオード（一例ではＣＤ用レーザ光とＤＶＤ用レーザ光を選択的に発光可能な２波長レーザダイオード）４から出射されたレーザ光（例えばＣＤ用レーザ光またはＤＶＤ用レーザ光）は、第２の回折格子６によって偏光方向が制御され、ダイクロイックプリズム８により９０度の角度で反射されて、偏光ビームスプリッタ９へ至る。
【００２５】
このように、第１および第２のレーザダイオード３，４のいずれから出射されたレーザ光も、偏光ビームスプリッタ９へ導かれる。そして、そのレーザ光は、偏光ビームスプリッタ９によって反射され、さらに反射ミラー１０によって４５度の角度で反射されて、ハウジング２に設けられた穴（図示せず）を通過し、コリメータレンズ１１と液晶素子１２と１／４波長板１３とからなる積層体７および対物レンズ１４を介して、外部に出射される。
【００２６】
この光ヘッド１の外部に、例えばＣＤやＤＶＤなどの光記録媒体４６（図４，８参照）が配置されている場合には、前記したように対物レンズ１４から外部に出射されたレーザ光が、この光記録媒体４６に当たって反射される。光記録媒体４６による反射光は、再び、対物レンズ１４、積層体７、穴を通過し、反射ミラー１０によって４５度の角度で反射されて、偏光ビームスプリッタ９へ到達する。そして、この光は、偏光ビームスプリッタ９を透過し、センサーレンズ１５によってフォトディテクタ１６の受光面に集光させられる。そして、フォトディテクタ１６が受光した光の強度に応じて出力する出力信号が、回路基板２３上の電気部品および／または外部回路に伝達されて解析され、光記録媒体４６の記録内容が読み取られる。
【００２７】
なお、光記録媒体４６への記録を行う場合には、前記したように対物レンズ１４から外部に出射された光を、光記録媒体４６の記録トラック上に合焦させることによって書き込む。
【００２８】
この光ヘッド１の初期調整時および使用時には、レーザ光がダイクロイックプリズム８と偏光ビームスプリッタ９を通過して直進し、フロントモニター１７に入射され、フロントモニター１７は、常時レーザ光の強度をモニターする。このフロントモニター１７で受光した強度に基づいてレーザダイオード３，４にフィードバックをかけて、常に所望の強度のレーザ光が出射されるように制御することができる。
【００２９】
本実施形態は、以上説明した構成および機能を有する光ヘッド１において、センサーレンズ１５の、ハウジング２への位置決めおよび取り付けの構造を主要な特徴とする。
【００３０】
図５〜７に示すように、本実施形態のハウジング２にはＶ字状溝１８が形成されている。このＶ字状溝１８は、互いに対向して互いの間隔が徐々に狭くなるように傾斜している１対の斜面１８ａからなる。そしてこのＶ字状溝１８の両斜面の間隔の狭い部分に、Ｖ字状溝１８の長手方向に沿って、溝状の嵌合用の凹部１９が設けられている。
【００３１】
図５に示すように、凹部１９は狭幅部１９ａと広幅部１９ｂとが長手方向に連続して延びる形状である。凹部１９の狭幅部１９ａの幅は、後述するセンサーレンズ１５の下部の位置決め用の凸部２０（図３参照）の狭幅部２０ａの幅とほぼ同じであり、広幅部１９ｂの幅は凸部２０の広幅部２０ｂの幅とほぼ同じである。そして、凹部１９の長さは凸部２０の長さよりも長い。図１，６に示すように、Ｖ字状溝１８の上方には、片持ち梁状の規制部２１が設けられている。
【００３２】
一方、図３，６，７に示すように、円柱状のセンサーレンズ１５の下部には、長手方向に沿って延びる凸部２０が設けられている。凸部２０は、前記したように、狭幅部２０ａと広幅部２０ｂとが長手方向に連続して延びており、長さを除いては凹部１９に一致した形状である。また、センサーレンズ１５の両側部からそれぞれ突出する１対の突起部２２が設けられている。
【００３３】
この円柱状のセンサーレンズ１５をハウジング２のＶ字状溝１８内に挿入すると、凸部２０が凹部１９に嵌合するとともに、センサーレンズ１５の外周面が、１対の斜面１８ａにそれぞれ保持される。このとき、センサーレンズ１５を長手方向に移動させる時の抵抗を考慮すると、センサーレンズ１５の外周面と１対の斜面１８ａとの接触面積は小さい方が好ましく、面接触よりも線接触の方が好ましい。センサーレンズ１５の外周面と１対の斜面１８ａとの線接触を実現するためには、各斜面１８ａが曲面ではなく平坦な面であることが好ましい。このように、円弧状のセンサーレンズ１５の外周面と平坦な斜面１８ａとが線接触する構成であることが好ましい。
【００３４】
例えば、図７に示す断面図で見るとセンサーレンズ１５の外周面が１対の斜面１８ａにそれぞれ点Ａ，Ｂにて点接触している。接触点Ａ，Ｂは長手方向につながっているので、３次元的に見ると線接触である。この時、センサーレンズ１５の両側部から突出する１対の突起部２２は、Ｖ字状溝１８の側方でハウジング２の表面に接触せず上方に間隔をおいて浮いた状態に保持される。すなわち、本実施形態は、特許文献１，２のようにレンズが溝内にぶら下げられた状態ではなく、１対の斜面１８ａによってセンサーレンズ１５が下から支持された状態である。
【００３５】
センサーレンズ１５は、凸部２０が凹部１９に嵌合しているため、周方向に回転不能である。また、凹部１９の長さが凸部２０の長さよりも長いため、長手方向にスライド可能である。センサーレンズ１５の上部は片持ち梁状の規制部２１によって、離脱不能に保持されている。
【００３６】
従って、センサーレンズ１５をハウジング２上に取り付ける際には、まず、凸部２０が凹部１９内に嵌合するようにして、センサーレンズ１５をＶ字状溝１８内に挿入する。このとき、凸部２０の狭幅部２０ａが凹部１９の狭幅部１９ａと対応する位置にあり、広幅部２０ｂが凹部１９の広幅部１９ｂと対応する位置にある状態にする。そして、センサーレンズ１５を長手方向に移動させて、フォトディテクタ１６への光の収束状態が良好になるように調整する。前記したとおり、凹部１９は、凸部２０よりも長手方向に長いため、凸部２０は凹部１９内で長手方向に移動することができる。すなわち、センサーレンズ１５は長手方向に移動可能である。
【００３７】
本実施形態では、センサーレンズ１５は１対の斜面１８ａに２線で線接触して支持されているため、面接触の形態を採用しレンズを上からぶら下げて保持している従来技術に比べて、接触面積が小さく、センサーレンズ１５を長手方向に移動させる際の摩擦抵抗が小さい。従って、容易かつ円滑にセンサーレンズ１５を平行移動させることができる。また、凸部２０が凹部１９内に嵌合しているため、センサーレンズ１５は周方向に回転することはない。本実施形態では、互いにほぼ同じ幅の凸部２０を凹部１９に嵌合させるだけで、センサーレンズ１５の回転を防止して所定の姿勢に保つことができる。
【００３８】
なお、本実施形態において、ハウジング２に規制部２１が設けられている。この規制部２１は、仮に光ヘッドの姿勢が変わったとしてもセンサーレンズ１５をハウジング２上から脱落させないための安全部材として機能するものである。また、この規制部２１は、センサーレンズ１５を位置調整するときにセンサーレンズ１５が（Ｖ字状溝１８の）上下方向に動いてしまうのを防ぐための押さえばねとしても機能する。この規制部２１は、ハウジング２の上面にねじ等によって容易に取り付けられる。
【００３９】
規制部（押さえばね）２１は、図６，７に示すように、センサーレンズ１５の長手方向に交差するように配置されて、センサーレンズ１５に部分的に当接している。規制部２１のセンサーレンズ１２に対する当接部分は、センサーレンズ１５に向かって、図７の図面左方から見て円弧状に突出した構成になっている。従って、規制部２１の円弧状の突出部分の頂点の部分が、センサーレンズ１５に接触して強く押さえている。前記したように本実施形態では、Ｖ字状溝１８の１対の斜面１８ａが平坦面であり、センサーレンズ１５が円柱状であるため、センサーレンズ１５の外周面とＶ字状溝１８の斜面１８ａとが線接触しており、センサーレンズ１５の位置調整時の移動抵抗を低減している。それに加えて、規制部２１の円弧状の突出部分の頂点の部分がセンサーレンズ１５の外周面の一部のみを強く押さえることによって、センサーレンズ１５の外周面とＶ字状溝１８の斜面１８ａとの接触部分の、センサーレンズ１５の長手方向の長さを短くし、両者の接触関係を点接触に近づけることができる。これによって、センサーレンズ１５の位置調整時の移動抵抗をさらに低減しつつ、センサーレンズ１５の図７上方への移動（Ｖ字状溝１８からの脱出）を防止することができる。
【００４０】
ところで、特許文献２の押さえばねは、円柱状レンズの下部の支持アームを切り欠き部の一方の内面（支持面）に圧接させるために、切り欠き部内において、他方の内面と支持アームとの間のごく狭い空間に装填しなければならず、非常に煩雑な取付作業が必要であった。しかし、本実施形態において押さえばねとしても機能する規制部２１は、ハウジング２の上方の開放された広い空間を作業スペースとしてねじ止め等の簡単な作業を行うだけで済むので、特許文献２において押さえばねを取り付ける作業とは比較にならないくらい容易に取り付け可能である。
【００４１】
さらに、本実施形態では、センサーレンズ１５の凸部２０が狭幅部２０ａと広幅部２０ｂとからなる構成にし、凹部１９もそれに対応する狭幅部１９ａと広幅部１９ｂとからなる構成になっている。従って、センサーレンズ１５を正しい向き、すなわち、狭幅部２０ａと狭幅部１９ａが対向し、広幅部２０ｂと広幅部１９ｂが対向する向きに配置したときにのみ、センサーレンズ１５をＶ字状溝１８内に挿入することができる。仮に、センサーレンズ１５が逆向きであると、凸部２０の広幅部２０ｂが凹部１９の狭幅部１９ａと対向する。広幅部２０ｂは狭幅部１９ａより幅広であるため、狭幅部１９ａ内に挿入することはできず、従って、凸部２０は凹部１９内に挿入できない。その結果、センサーレンズ１５はＶ字状溝１８内に挿入されずに浮き上がった状態になる。このように、本実施形態では、狭幅部１９ａ，２０ａと広幅部１９ｂ，２０ｂを設けることによって、非常に簡単な構成で、センサーレンズ１５の向きを間違えて取り付けることを防止できる。
【００４２】
以上説明したように、センサーレンズ１５を周方向に回転させずに長手方向に位置調整したら、接着剤（図示せず）を用いて１対の突起部２２をハウジング２の上面に固定する。なお、本実施形態の突起部２２は、ハウジング２の上面と面接触して摩擦力が大きくなることがないように、ハウジング２の外周面の比較的上部の位置に形成されている。したがって、接着剤は、突起部２２とハウジング２の上面との間を埋めるように注入される。
【００４３】
図８は、前記した本発明の光ヘッド１を含む光記録再生装置の構成を示す概略図である。この光記録再生装置は、主に、前記した構成の光ヘッド１と、スピンドルモータ４２と、コントローラ４３と、レーザ駆動回路４４と、レンズ駆動回路４５とから構成されている。
【００４４】
スピンドルモータ４２は、コントローラ４３の制御の下で、光ディスク（光記録媒体）４６を回転駆動する。コントローラ４３は、光ヘッド４１から供給されるフォトディテクタ検出信号に基づいて、スピンドルモータ４２、レーザ駆動回路４４、およびレンズ駆動回路４５を制御する。レーザ駆動回路４４は、コントローラ４３の制御の下で、光ヘッド１を構成する光源であるレーザダイオード３，４（図１，３，４参照）を駆動するためのレーザ駆動信号を生成し、光ヘッド１に供給する。レンズ駆動回路４５は、コントローラ４３の制御の下で、光ヘッド１を構成する対物レンズ１４（図３，４参照）のフォーカシング、トラッキング、およびチルトを制御するためのレンズ駆動信号を生成し、光ヘッド１に供給する。
【００４５】
コントローラ４３は、フォーカスサーボ追従回路４７と、トラッキングサーボ追従回路４８と、スキュー調整回路４９と、レーザコントロール回路５０とを有している。フォーカスサーボ追従回路４７は、光ヘッド１から供給されるフォトディテクタ検出信号に基づいて、回転している光ディスク４６の情報記録面に光ヘッド１から出射された光ビームのフォーカスをかけるためのフォーカスサーボ信号を生成し、レンズ駆動回路４５に供給する。
【００４６】
トラッキングサーボ追従回路４８は、光ヘッド１から供給されるフォトディテクタ検出信号に基づいて、光ディスク４６の偏心している信号トラックに対して、光ヘッド１から出射された光ビームのビームスポットを追従させるためのトラッキングサーボ信号を生成し、レンズ駆動回路４５に供給する。スキュー調整回路４９は、光ヘッド１から供給されるフォトディテクタ検出信号に基づいて、光ヘッド１を構成する対物レンズ１４をラジアル方向やタンジェンシャル方向に傾斜させるためのスキュー調整信号を生成し、レンズ駆動回路４５に供給する。レーザコントロール回路５０は、光ヘッド１から供給されるフォトディテクタ検出信号から抽出された光ディスク４６に記録されている記録条件設定情報に基づいて、適切なレーザ駆動信号の生成を行う。
【００４７】
このような本発明の光ヘッド１を含む光記録再生装置は、簡単な構成で、センサーレンズ１５を正しい向きにして装着することができ、回転を防止しつつ長手方向に位置調節して、フォトディテクタとの間隔を容易に調節できる。
【００４８】
なお、前記した例では、２つの光源（レーザダイオード３，４）が設けられている光ヘッド１と、この光ヘッドが１個のみ設けられている光記録再生装置を示したが、これに限定されない。本発明は、３つ以上の光源、または単一の光源が設けられている光ヘッドや、光ヘッドが複数個設けられている光記録再生装置にも適用することができる。
【００４９】
以上、本発明の実施形態について図面を参照して詳述してきたが、具体的な構成は本実施形態のみに限られるものではなく、本発明の要旨を逸脱しない範囲の設計の変更等があっても本発明に含まれる。
【図面の簡単な説明】
【００５０】
【図１】本発明の一実施形態に係る光ヘッドの、カバーを外した状態の斜視図である。
【図２】図１に示す光ヘッドの、対物レンズ駆動装置と回路基板を外した状態の、図１と反対側から見た斜視図である。
【図３】図１，２に示す光ヘッドの光学部品の関係を示す説明図である。
【図４】図３に示す光学部品の関係をより簡略化して示す模式図である。
【図５】図１，２に示す光ヘッドのハウジングの斜視図である。
【図６】図５に示す光ヘッドの、センサーレンズのハウジング上への取り付け状態を拡大して示す斜視図である。
【図７】図５に示す光ヘッドの、センサーレンズのハウジング上への取り付け状態を拡大して示す断面図である。
【図８】本発明の光ヘッドを含む光記録再生装置の構成を示す概略図である。
【符号の説明】
【００５１】
１      光ヘッド
２      ハウジング
３      第１のレーザダイオード
４      第２のレーザダイオード
５      第１の回折格子（１／２波長板）
６      第２の回折格子（１／２波長板）
７      積層体
８      ダイクロイックプリズム
９      偏光ビームスプリッタ
１０    反射ミラー
１１    コリメータレンズ
１２    液晶素子
１３    １／４波長板
１４    対物レンズ
１５    センサーレンズ（円柱状レンズ）
１６    フォトディテクタ（受光素子）
１７    フロントモニター（受光素子）
１８    Ｖ字状溝
１９    凹部
１９ａ  狭幅部
１９ｂ  広幅部
２０    凸部
２０ａ  狭幅部
２０ｂ  広幅部
２１    規制部
２２    突起部
２３    回路基板
４２    スピンドルモータ
４３    コントローラ
４４    レーザ駆動回路
４５    レンズ駆動回路
４６    光ディスク（光記録媒体）
４７    フォーカスサーボ追従回路
４８    トラッキングサーボ追従回路
４９    スキュー調整回路
５０    レーザコントロール回路
【図１】
2008077757.tif 000003
【図２】
2008077757.tif 000004
【図３】
2008077757.tif 000005
【図４】
2008077757.tif 000006
【図５】
2008077757.tif 000007
【図６】
2008077757.tif 000008
【図７】
2008077757.tif 000009
【図８】
2008077757.tif 000010